(57)【要約】【課題】  携帯型再生装置をクレードル装置に接続しない場合／接続する場合に関わらず、良好な音声再生が可能な携帯型再生装置およびクレードル装置およびこれらを含む音声再生システムを提供する。【解決手段】  音声再生システムは、携帯型再生装置の記録部が、記録された第１コンテンツに対してタイトルが共通で音声信号の音響特性が異なる第２コンテンツをさらに記録し、携帯型再生装置の選択指示部において第１コンテンツおよび第２コンテンツで共通するタイトルを選択してコンテンツを再生する場合に、携帯型再生装置をクレードル装置に接続しない場合は、携帯型再生装置が第１コンテンツを再生して携帯型再生装置の出力部から出力し、携帯型再生装置をクレードル装置に接続する場合に、携帯型再生装置が第２コンテンツを再生してクレードル装置の音声再生部から出力する。【選択図】  図１
2014143509.tif 000002
【特許請求の範囲】
【請求項１】
音声信号を含む複数のコンテンツが記録される記録部と、再生する該コンテンツを選択する選択指示部と、クレードル装置に接続する接続部と、該音声信号を出力する出力部と、を少なくとも備える携帯型再生装置と、
該携帯型再生装置が接続される接続部と、該接続部から入力される該音声信号を音声に変換して再生する音声再生部と、を少なくとも備える該クレードル装置と、
を有する音声再生システムであって、
該携帯型再生装置の該記録部が、記録された第１コンテンツに対してタイトルが共通で該音声信号の音響特性が異なる第２コンテンツをさらに記録し、
該携帯型再生装置の該選択指示部において該第１コンテンツおよび該第２コンテンツで共通する該タイトルを選択して該コンテンツを再生する場合に、
該携帯型再生装置を該クレードル装置に接続しない場合は、該携帯型再生装置が該第１コンテンツを再生して該携帯型再生装置の該出力部から出力し、
該携帯型再生装置を該クレードル装置に接続する場合に、該携帯型再生装置が該第２コンテンツを再生して該クレードル装置の該音声再生部から出力する、
音声再生システム。
【請求項２】
前記第１コンテンツの前記音響特性が、その伝達関数が「１」であるスルー状態に設定され、
前記第２コンテンツの前記音響特性が、前記クレードル装置の前記音声再生部の補正特性に基づく所定の伝達関数である補正状態に設定される、
請求項１に記載の音声再生システム。
【請求項３】
前記携帯型再生装置の前記記録部が、複数の前記第１コンテンツを格納する第１フォルダ部と、複数の前記第２コンテンツを格納する第２フォルダ部と、を含み、
該携帯型再生装置の前記選択指示部が、該第１フォルダ部の該第１コンテンツおよび該第２フォルダ部の該第２コンテンツで共通する前記タイトルを選択可能に表示する、
請求項１または２に記載の音声再生システム。
【請求項４】
前記クレードル装置が、前記音声再生部の前記補正特性を演算する演算部と、該補正特性を演算するための測定データを取得する測定部と、をさらに備え、
該測定データが、該音声再生部の伝達関数を含む、
請求項１から３のいずれかに記載の音声再生システム。
【請求項５】
請求項１から４のいずれかに記載の前記音声再生システムを構成する携帯型再生装置。
【請求項６】
請求項１から４のいずれかに記載の前記音声再生システムを構成するクレードル装置。
【発明の詳細な説明】
【技術分野】
【０００１】
本発明は、音声信号を含む複数のコンテンツを再生する携帯型再生装置と、音声を再生するクレードル装置と、を有する音声再生システムであって、特に、携帯型再生装置をクレードル装置に接続しない場合／接続する場合に関わらず、良好な音声再生が可能な携帯型再生装置およびクレードル装置およびこれらを含む音声再生システムに関する。
【背景技術】
【０００２】
音声信号を含むコンテンツを再生する携帯型再生装置は、主にヘッドフォンを接続されて単独で使用される他に、スピーカーを含んで音声再生が可能なクレードル装置に載置されて、音声再生システムを構成して使用される場合がある。携帯型再生装置は、スピーカーを内蔵しない携帯可能な音楽プレーヤーである場合の他に、携帯電話等である場合もある（例えば、特許文献１）。
【０００３】
一方、クレードル装置は、様々な構成があり得る。クレードル装置は、携帯型再生装置を充電可能なクレードルである場合の他に、音声信号を音声に変換するスピーカーのような電気音響変換器を有するオーディオ装置である場合、または、パーソナルコンピューター等の電子計算機である場合、等がある（例えば、特許文献２）。
【０００４】
クレードル装置は、クレードル装置の携帯型再生装置を載置して接続する部分がスピーカーを内蔵する筐体部分と分離しているか、分離していないかにかかわらず、携帯型再生装置に記録されている複数のコンテンツを音声再生可能にする音声再生システムを構成する。この音声再生システムでは、ユーザーは、携帯型再生装置に記録されたコンテンツを、ヘッドフォンを用いることなくクレードル装置のスピーカーから音声再生することができる。
【０００５】
しかしながら、音声再生可能なクレードル装置の構成は、上記のように様々なものがあり、場合によっては音声再生システムとして構成されても、適切な音声再生ができない場合がある。音声再生システムでは、携帯型再生装置およびクレードル装置の音響特性を補完して、広帯域で十分な音圧レベルを有するように音声信号処理（例えば、特許文献３）を導入するのが好ましい。
【０００６】
ただし、クレードル装置の構成の都合により音声信号にイコライザ等の音声信号処理を施す音声信号処理回路を有さない場合には、携帯型再生装置の音声信号処理回路をクレードル装置の音声再生部の音響特性に合わせて再調整しなければならないと言う問題がある。このような構成では、この音声再生システムから携帯型再生装置を分離して単独で使用する場合には、あらためて携帯型再生装置の音声信号処理回路を単独で使用するのに適するように再調整しなければならない。つまり、携帯型再生装置をクレードル装置に接続しない場合／接続する場合に関わらず、音響特性の補正に関する煩わしいユーザー操作をしなくても良好な音声再生が可能な音声再生システムが好ましい。
【０００７】
【特許文献１】国際公開第２００７／０８６５２４号公報
【特許文献２】特許第４６５４４０４号公報
【特許文献３】特表２００８−５４１６５４号公報
【発明の概要】
【発明が解決しようとする課題】
【０００８】
本発明は、上記の従来技術が有する問題を解決するためになされたものであり、その目的は、携帯型再生装置をクレードル装置に接続しない場合／接続する場合に関わらず、良好な音声再生が可能な携帯型再生装置およびクレードル装置およびこれらを含む音声再生システムを提供することにある。
【課題を解決するための手段】
【０００９】
本発明の音声再生システムは、音声信号を含む複数のコンテンツが記録される記録部と、再生するコンテンツを選択する選択指示部と、クレードル装置に接続する接続部と、音声信号を出力する出力部と、を少なくとも備える携帯型再生装置と、携帯型再生装置が接続される接続部と、接続部から入力される音声信号を音声に変換して再生する音声再生部と、を少なくとも備えるクレードル装置と、を有する音声再生システムであって、携帯型再生装置の記録部が、記録された第１コンテンツに対してタイトルが共通で音声信号の音響特性が異なる第２コンテンツをさらに記録し、携帯型再生装置の選択指示部において第１コンテンツおよび第２コンテンツで共通するタイトルを選択してコンテンツを再生する場合に、携帯型再生装置をクレードル装置に接続しない場合は、携帯型再生装置が第１コンテンツを再生して携帯型再生装置の出力部から出力し、携帯型再生装置をクレードル装置に接続する場合に、携帯型再生装置が第２コンテンツを再生してクレードル装置の音声再生部から出力する。
【００１０】
好ましくは、本発明の音声再生システムは、第１コンテンツの音響特性が、その伝達関数が「１」であるスルー状態に設定され、第２コンテンツの音響特性が、クレードル装置の音声再生部の補正特性に基づく所定の伝達関数である補正状態に設定される。
【００１１】
また、好ましくは、本発明の音声再生システムは、携帯型再生装置の記録部が、複数の第１コンテンツを格納する第１フォルダ部と、複数の第２コンテンツを格納する第２フォルダ部と、を含み、携帯型再生装置の選択指示部が、第１フォルダ部の第１コンテンツおよび第２フォルダ部の第２コンテンツで共通するタイトルを選択可能に表示する。
【００１２】
また、好ましくは、本発明の音声再生システムは、クレードル装置が、音声再生部の補正特性を演算する演算部と、補正特性を演算するための測定データを取得する測定部と、をさらに備え、測定データが、音声再生部の伝達関数を含む。
【００１３】
また、本発明の携帯型再生装置は、上記のいずれかの音声再生システムを構成する。
【００１４】
また、本発明のクレードル装置は、上記のいずれかの音声再生システムを構成する。
【００１５】
以下、本発明の作用について説明する。
【００１６】
本発明の音声再生システムは、携帯型再生装置と、クレードル装置と、を有する。携帯型再生装置は、音声信号を含む複数のコンテンツが記録される記録部と、再生するコンテンツを選択する選択指示部と、クレードル装置に接続する接続部と、音声信号を出力する出力部と、を少なくとも備える。また、クレードル装置は、携帯型再生装置が接続される接続部と、接続部から入力される音声信号を音声に変換して再生する音声再生部と、を少なくとも備える。携帯型再生装置並びに音声再生システムは、ユーザーの操作により、記録部に記録されたコンテンツを再生することができる。
【００１７】
携帯型再生装置の記録部は、記録された第１コンテンツに対してタイトルが共通で音声信号の音響特性が異なる第２コンテンツをさらに記録する。携帯型再生装置の選択指示部は、第１コンテンツおよび第２コンテンツで共通する一つのタイトルを選択してコンテンツを再生することができる。したがって、携帯型再生装置をクレードル装置に接続しない場合は、携帯型再生装置が第１コンテンツを再生して携帯型再生装置の出力部から出力することができる。また、携帯型再生装置をクレードル装置に接続する場合は、携帯型再生装置が第２コンテンツを再生してクレードル装置の音声再生部から出力することができる。
【００１８】
すなわち、本発明の音声再生システムでは、携帯型再生装置をクレードル装置に接続しない場合／接続する場合に、タイトルが共通で音声信号の音響特性が異なる少なくとも２つのコンテンツをそれぞれの場合に再生するようにすることで、いずれの場合でも良好な音声再生を可能にすることができる。好ましくは、第１コンテンツの音響特性を、その伝達関数が「１」であるスルー状態に設定し、第２コンテンツの音響特性を、クレードル装置の音声再生部の補正特性に基づく所定の伝達関数である補正状態に設定すればよい。その結果、クレードル装置が音声信号に音声信号処理を施す音声信号処理回路を有さない場合にも、良好な音声再生が可能な音声再生システムを構成することができる。また、音声再生システムから携帯型再生装置を分離して単独で使用する場合にも、あらためて携帯型再生装置の音声信号処理回路を単独で使用するのに適するように再調整する必要が無くなるという利点がある。
【００１９】
また、本発明の音声再生システムは、携帯型再生装置の記録部が、複数の第１コンテンツを格納する第１フォルダ部と、複数の第２コンテンツを格納する第２フォルダ部と、を含む。携帯型再生装置の選択指示部は、第１フォルダ部の第１コンテンツおよび第２フォルダ部の第２コンテンツで共通するタイトルを選択可能に表示するので、ユーザーは、第１コンテンツと第２コンテンツとを区別して認識することなく、コンテンツの再生／停止といった操作を行うことができる。その一方で、音響特性の異なる第１コンテンツと第２コンテンツとが、それぞれ異なる第１フォルダ部並びに第２フォルダ部に格納されているので、コンテンツの管理を行う上では、フォルダ単位で音響特性の異なるコンテンツを区別することが容易になるという利点がある。なお、複数のクレードル装置が存在する場合には、それぞれに対応する複数の第２フォルダ部を設けるようにすればよい。
【００２０】
また、音声再生システムでは、クレードル装置が、音声再生部の補正特性を演算する演算部と、補正特性を演算するための測定データを取得する測定部と、をさらに備えるようにしてもよい。測定データは、クレードル装置の音声再生部の複数の伝達関数を含むものになるので、携帯型再生装置をクレードル装置に接続する場合に、良好な音声再生が可能になる。
【発明の効果】
【００２１】
本発明の音声再生システムは、携帯型再生装置をクレードル装置に接続しない場合／接続する場合に関わらず、良好な音声再生が可能になり、ユーザーは、第１コンテンツと第２コンテンツとを区別して認識することなく、コンテンツの再生／停止といった操作を行うことができる。
【図面の簡単な説明】
【００２２】
【図１】本発明の好ましい実施形態による音響再生システム１０（ＤＡＰ装置１をクレードル装置２に接続する場合）について説明する図である。（実施例１）
【図２】本発明の好ましい実施形態による音響再生システム１０（ＤＡＰ装置１をクレードル装置２に接続しない場合）について説明する図である。（実施例１）
【図３】コンテンツを補正する音響特性（伝達関数が「１」であるスルー状態、または、所定の伝達関数である補正状態）を説明するグラフである。（実施例１）
【図４】本発明の好ましい実施形態による音響再生システム１０の動作について説明するフローチャートである。（実施例１）
【発明を実施するための形態】
【００２３】
以下、本発明の好ましい実施形態による携帯型再生装置およびクレードル装置およびこれらを含む音声再生システムについて説明するが、本発明はこれらの実施形態には限定されない。
【実施例１】
【００２４】
図１および図２は、本発明の好ましい実施形態による音響再生システム１０について説明する図である。具体的には、図１は、ＤＡＰ（Ｄｉｇｉｔａｌ  Ａｕｄｉｏ  Ｐｌａｙｅｒ）装置１をクレードル装置２に接続する場合の音響再生システム１０である。また、図２は、ＤＡＰ装置１をクレードル装置２に接続しない場合である。また、図３は、コンテンツを補正する音響特性を説明するグラフである。また、図４は、音響再生システム１０の動作について説明するフローチャートである。なお、説明に不要な一部の構成や、内部構造等は、図示ならびに説明を省略する。
【００２５】
音響再生システム１０は、携帯型音楽再生装置であるＤＡＰ装置１を、クレードル装置２に接続して構成される。ユーザーは、ヘッドフォン５を用いれば単独で使用可能なＤＡＰ装置１を、スピーカー３を含んで音声再生が可能なクレードル装置２に接続することで、ヘッドフォン５を用いなくとも音声再生が可能になる。本実施例のクレードル装置２は、オーディオ機能を有するＰＣ（Ｐｅｒｓｏｎａｌ  Ｃｏｍｐｕｔｅｒ）により実現される。クレードル装置２には、後述する音響特性の補正に用いるマイクロフォン４が接続可能である。
【００２６】
ＤＡＰ装置１は、ＨＤＤ（Ｈａｒｄ  Ｄｉｓｋ  Ｄｒｉｖｅ）１２を備え、ＨＤＤ１２には音声信号を含む複数のコンテンツ（音楽コンテンツ、映像コンテンツ、その他を含む）が記録されている。ＤＡＰ装置１は、音声出力回路１３を備え、ＨＤＤ１２からのコンテンツ出力を音声信号として接続コネクタ１１から出力することができる。ＤＡＰ装置１は制御回路１６を備え、操作回路１４からのユーザー操作の操作信号ならびに接続コネクタ１１を介して受信するクレードル装置２からの制御信号により、ＤＡＰ装置１の動作を制御する。制御回路１６は、ＨＤＤ１２に記録されたコンテンツのタイトルを表示回路１５に表示すると共に、操作回路１４からのユーザー操作を受けて再生するコンテンツを選択する。
【００２７】
なお、ＤＡＰ装置１の接続コネクタ１１は、複数の制御信号を伝送するコネクタと音声信号を出力するコネクタの他にも、ＤＡＰ装置１の（図示しない）充電池に充電源を接続するコネクタを含んでいても良い。ＨＤＤ１２は、他の半導体記憶媒体等でも良く、操作回路１４は、スイッチ、ジョグダイヤル等の入力デバイスであればよい。表示回路１５は、内蔵するＦＬディスプレイ、液晶ディスプレイ等であればよい。
【００２８】
クレードル装置２は、ＤＡＰ装置１が接続される接続コネクタ２１と、この接続コネクタ２１から入力される音声信号を受けてステレオ音声信号（左音声信号、右音声信号）に変換し、それぞれアンプ回路２３へ出力するプリアンプ回路２２を備える。アンプ回路２３は、音声信号を電力増幅してスピーカー３へ供給し、音声信号を音声に変換して再生する。プリアンプ回路２２は、ＤＡＰ装置１から入力される音声信号の音量調整が可能なほかに、後述するテスト信号回路２７から供給されるテスト信号を、ＤＡＰ装置１から入力される音声信号に代えてアンプ回路２３へ出力することができる。
【００２９】
また、クレードル装置２は、ユーザー操作を受け付ける操作回路２４と、動作状態を表示する表示回路２５と、クレードル装置２の動作を制御する制御回路２６を備える。操作回路２４は、スイッチ、ジョグダイヤル、あるいは、リモコン装置、等の入力デバイスを含む。表示回路２５は、内蔵するＦＬディスプレイ、液晶ディスプレイ等でもよく、又は他に接続するディスプレイ装置であってもよい。制御回路２６は、操作回路２４からのユーザー操作の操作信号ならびに接続コネクタ２１を介して受信するＤＡＰ装置１からの制御信号により、ＤＡＰ装置１の制御回路１６と共に音声再生システム１０の動作を制御する。
【００３０】
クレードル装置２は、テスト信号回路２７と、マイクロフォン４が接続するマイクロフォン端子Ｍと、マイクロフォン端子Ｍからの測定音声信号を受けて制御回路２６に後述する補正特性を出力するマイク測定回路２８を備える。クレードル装置２は、ＰＣの他にも、他の音響再生装置により構成してもよい。なお、ＤＡＰ装置１から入力される音声信号は、上記ステレオ信号に限らずモノラル信号であっても良く、３つ以上の複数のスピーカー３を備える場合には、マルチチャンネルサラウンド信号であっても良い。マルチチャンネル音声に対応したＤＳＰおよびマルチチャンネルアンプ回路を内蔵するＡＶレシーバー等により構成し得る。また、マイク測定回路２８は、必ずしもクレードル装置２が備えなくてもよく、クレードル装置２から独立させてもよい。
【００３１】
ＤＡＰ装置１並びに音声再生システム１０は、ユーザーの操作により、ＤＡＰ装置１のＨＤＤ１２に記録された複数のコンテンツ（Ｃ１、Ｃ２、・・・）からいずれか一つを選択して再生することができる。ＤＡＰ装置１のＨＤＤ１２には、複数のコンテンツを格納する複数のフォルダが記録されている。本実施例では、説明を簡略化するために、２つの異なるフォルダ１２Ａとフォルダ１２ＢとがＨＤＤ１２に設定されている場合を述べる。複数のコンテンツ（Ｃ１、Ｃ２、Ｃ３、・・・）はそれぞれ、対応するタイトルが共通で音声信号の音響特性が異なる２つのコンテンツファイルをフォルダ１２Ａとフォルダ１２Ｂとに有している。例えば、コンテンツＣ１に関しては、フォルダ１２Ａ内にコンテンツのタイトルが「Ｃ１」であるコンテンツファイルＣ１ａと、フォルダ１２Ｂ内にコンテンツのタイトルが「Ｃ１」であるコンテンツファイルＣ１ｂと、がそれぞれ記録されている。コンテンツＣ２に関しては、フォルダ１２Ａ内にコンテンツのタイトルが「Ｃ２」であるコンテンツファイルＣ２ａと、フォルダ１２Ｂ内にコンテンツのタイトルが「Ｃ２」であるコンテンツファイルＣ２ｂと、がそれぞれ記録されている。コンテンツＣ３以下に関しても同様である。
【００３２】
図３は、複数のコンテンツ（Ｃ１、Ｃ２、Ｃ３、・・・）を補正する音響特性を説明するグラフである。具体的には、横軸が周波数を示し、縦軸がゲインを示す伝達関数のゲイン特性である。図示する「Ｃ＿ａ」の場合は、周波数にかかわらずゲインが０ｄＢである。これは、フォルダ１２Ａ内のコンテンツに共通する音響特性に関して、その伝達関数が「１」のスルー状態であることを示す。したがって、図示する「Ｃ＿ａ」の場合は、フォルダ１２Ａ内のコンテンツ（Ｃ１ａ、Ｃ２ａ、Ｃ３ａ、・・・）はそれぞれ、何も補正特性が畳み込まれていないコンテンツのオリジナルの音声信号が記録されている。
【００３３】
一方で、図示する「Ｃ＿ｂ」の場合は、図示する周波数ｆ０以下の所定帯域でゲインが０ｄＢであり、それ以外ではゲインが所定レベル（−３〜−１２ｄＢ程度）に下げられて、相対的に周波数ｆ０以下の所定帯域でゲインが上昇している。これは、フォルダ１２Ｂ内のコンテンツに共通する音響特性に関して、その伝達関数が所定の伝達関数である補正状態であることを示す。周波数ｆ０は、クレードル装置２のスピーカー３の最低共振周波数であり、スピーカー３が一定レベルで再生可能な周波数帯域の下限周波数にほぼ一致する。したがって、図示する「Ｃ＿ｂ」の場合は、クレードル装置２のスピーカー３の音響特性を補正する補正特性を意味し、不足しがちなスピーカー３の最低共振周波数以下の周波数を相対的にブーストして増大し、他の帯域に関しては音声信号の波形がクリップするのを防止するのにゲインを相対的に下げている。フォルダ１２Ｂ内のコンテンツ（Ｃ１ｂ、Ｃ２ｂ、Ｃ３ｂ、・・・）はそれぞれ、この様な補正特性が畳み込まれたコンテンツの音声信号が記録されている。
【００３４】
以下では、図１および図２を参照して、音響再生システム１０の動作について説明する。図１の様に、ＤＡＰ装置１をクレードル装置２に接続する場合には、ユーザーは、クレードル装置２のスピーカー３を介してＨＤＤ１２内のコンテンツの音声出力を聴くことができる。また、図２の様に、ＤＡＰ装置１をクレードル装置２に接続しない場合には、ユーザーは、ヘッドフォン５をＤＡＰ装置１に接続して、ＨＤＤ１２内のコンテンツの音声出力を聴くことができる。いずれの場合でも、ユーザーは、ＤＡＰ装置１の操作回路１４から、表示回路１５に表示されるＨＤＤ１２に記録されたコンテンツのタイトルを選択して再生することができる。図示する例では、コンテンツＣ２を選択している。ここで、表示回路１５に表示されるコンテンツのタイトルは、フォルダ１２Ａとフォルダ１２Ｂとにそれぞれ記録されている２つのコンテンツファイルに共通なタイトル（Ｃ１、Ｃ２、Ｃ３、・・・）である。したがって、ユーザーは、フォルダ１２Ａに格納されているコンテンツファイルとフォルダ１２Ｂに格納されているコンテンツファイルとを区別して認識することなく、コンテンツの再生／停止といった操作を行うことができる。
【００３５】
図４は、音響再生システム１０の動作について説明するフローチャートである。コンテンツを再生する際に、ＤＡＰ装置１をクレードル装置２に接続する場合（Ｓ１）には、ＤＡＰ装置１の制御回路１６は、クレードル装置２の制御回路と通信して、接続したクレードル装置２が音声信号を補正する対象のクレードル装置２か否かを判断する（Ｓ２）。ＤＡＰ装置１がクレードル装置２に接続されない場合およびＤＡＰ装置１が補正対象でないクレードル装置に接続された場合（Ｓ２：Ｎｏ）には、ＨＤＤ１２に記録されたコンテンツのタイトルを表示回路１５に表示し（Ｓ３）、ユーザーがコンテンツを選択して再生する際には、ＤＡＰ装置１の制御回路１６は、選択されたコンテンツに共通するタイトルに対応するフォルダ１２Ａに格納されているコンテンツファイルＣ＿ａを再生する（Ｓ４）。例えば、表示回路１５に表示されたコンテンツのタイトル［Ｃ２］を選択すると、フォルダ１２Ａ内のコンテンツファイルＣ２ａを再生開始する。つまり、ＤＡＰ装置１を単独で用いる場合およびＤＡＰ装置１が補正対象でないクレードル装置に接続された場合には、コンテンツの音響特性を、その伝達関数が「１」であるスルー状態に設定する。
【００３６】
一方で、ＤＡＰ装置１が補正対象のクレードル装置２に接続された場合（Ｓ２：Ｙｅｓ）には、ＨＤＤ１２に記録されたコンテンツのタイトルを表示回路１５に表示し（Ｓ５）、ユーザーがコンテンツを選択して再生する際には、ＤＡＰ装置１の制御回路１６は、選択されたコンテンツに共通するタイトルに対応するフォルダ１２Ｂに格納されているコンテンツファイルＣ＿ｂを再生する（Ｓ６）。例えば、表示回路１５に表示されたコンテンツのタイトル［Ｃ２］を選択すると、フォルダ１２Ｂ内のコンテンツファイルＣ２ｂを再生開始する。つまり、ＤＡＰ装置１が補正対象のクレードル装置２に接続された場合には、コンテンツの音響特性を、その伝達関数がクレードル装置２のスピーカー３の補正特性に基づく所定の伝達関数である補正状態に設定する。
【００３７】
したがって、本実施例のＤＡＰ装置１およびクレードル装置２が、簡易な構成でコンテンツの音声信号に音声信号処理を施す音声信号処理回路を有さない場合にも、良好な音声再生が可能な音声再生システム１０を構成することができる。ＤＡＰ装置１は、フォルダ１２Ａのコンテンツファイルおよびフォルダ１２Ｂのコンテンツファイルで共通するタイトルを選択可能に表示するので、ユーザーは、音響特性が異なるこれらのコンテンツファイルを区別して認識することなく、コンテンツの再生／停止といった操作を行うことができる。
【００３８】
また、ＤＡＰ装置１を補正対象のクレードル装置２に接続したかどうかを判定しているので、ユーザーが音声再生システム１０からＤＡＰ装置１を分離して単独で使用する場合にも、あらためてＤＡＰ装置１を再調整する必要が無くなるという利点がある。その一方で、音響特性の異なるコンテンツファイルＣ＿ａとコンテンツファイルＣ＿ｂとが、それぞれ異なるフォルダ１２Ａ並びにフォルダ１２Ｂに格納されているので、コンテンツの管理を行う上では、フォルダ単位で音響特性の異なるコンテンツを区別することが容易になるという利点がある。音響特性の異なる他の（図示しない）クレードル装置に対応するには、フォルダ１２Ａ並びにフォルダ１２Ｂに追加して、音響特性の異なるコンテンツファイルＣ＿ｃを格納する他のフォルダ１２Ｃを設ければよい。対応するクレードル装置２が３つ以上ある場合には、同様に対応するフォルダを増やせばよい。
【００３９】
また、クレードル装置２は、テスト信号回路２７およびマイクロフォン４が接続するマイク測定回路２８を備える。テスト信号回路２７は、テスト信号をプリアンプ回路２２に入力する。マイク測定回路２８は、マイクロフォン４からの入力信号を増幅する増幅段と、増幅段の出力を制御回路２６に出力するようにフィルタ処理および補正特性を演算する出力回路と、を含む。
【００４０】
テスト信号は、所定の周波数帯域成分を持つホワイトノイズ、ピンクノイズ、等の雑音信号、または、純音をスイープするスイープ信号、あるいは、インパルス信号、等のいずれかのテスト信号であればよい。測定信号は、ＦＦＴ等の演算処理により、周波数データとして記録できる。したがって、クレードル装置２の制御回路２６は、テスト信号出力モードにおいてテスト信号回路２７から発生させたテスト信号に同期してマイクロフォン４から検出される音声信号を、テスト信号の再生音として検出し、クレードル装置２のスピーカー３の伝達関数として得ることができる。
【００４１】
補正に用いる伝達関数は、測定したスピーカー３の伝達関数の逆関数に基づくものであってもよく、また、伝達関数の逆関数に準じたイコライザ特性の伝達関数であってもよい。もちろん、従来の他の伝達関数を演算する方法によって補正に用いる伝達関数を得てもよい。マイクロフォン４を複数の測定点に配置して得た伝達関数に基づくようにすれば、クレードル装置２のスピーカー３の音響パワーの補正を行うことができる。
【００４２】
クレードル装置２の制御回路２６は、ＤＡＰ装置１のＨＤＤ１２のフォルダ１２Ａの音響特性がスルー状態のコンテンツファイルを取得して、タイトルは共通であるが測定データに基づく補正特性を音声信号に施した別のコンテンツファイルとして、フォルダ１２Ａとは異なるフォルダ（例えばフォルダ１２Ｂ）に記録する。その結果、図２のようにＤＡＰ装置１をクレードル装置２に接続する場合に、良好な音声再生が可能になる。クレードル装置２が、制御回路２６に制御されるＨＤＤのような他の記録媒体を有している場合には、ＤＡＰ装置１のＨＤＤ１２のフォルダ１２Ａの音響特性がスルー状態のコンテンツファイルをこの他の記録媒体にコピーして取得し、同様にタイトルは共通であるが測定データに基づく補正特性を音声信号に施した別のコンテンツファイルとして記録し、これをＤＡＰ装置１のＨＤＤ１２に転送するようにしても良い。
【００４３】
もちろん、ＤＡＰ装置１は、携帯電話、ノートブック型あるいはタブレット型のパーソナルコンピューター、等の携帯型の電子機器であればよく、クレードル装置２は、オーディオ機能を有するＰＣ以外であっても良く、充電台のようなクレードルならびにスピーカー装置をＰＣに接続して構成するシステムに代えても良い。もちろん、クレードル装置２は、スピーカー３を含むＡＶ（オーディオ・ビデオ）装置であってもよい。ＤＡＰ装置１のＨＤＤ１２に記録されているコンテンツが映像コンテンツである場合には、タイトルおよび映像信号が共通で、音響特性の異なる音声信号を記録した複数のコンテンツファイルを記録すればよい。
【産業上の利用可能性】
【００４４】
本発明の携帯型再生装置およびクレードル装置およびこれらを含む音声再生システムは、ステレオ音声信号を再生する家庭用のパーソナルコンピューターならびにオーディオ装置のみならず、車載用のクレードル装置を含む音響再生システムにも適用が可能である。
【符号の説明】
【００４５】
１        ＤＡＰ装置
２        クレードル装置
３        スピーカー
４        マイクロフォン
５        ヘッドフォン
１０      音響再生システム
１１      接続コネクタ
１２      ＨＤＤ
１３      音声出力回路
１４      操作回路
１５      表示回路
１６      制御回路
２１      接続コネクタ
２２      プリアンプ回路
２３      アンプ回路
２４      操作回路
２５      表示回路
２６      制御回路
２７      テスト信号回路
２８      マイク測定回路
【図１】
2014143509.tif 000003
【図２】
2014143509.tif 000004
【図３】
2014143509.tif 000005
【図４】
2014143509.tif 000006